(57)【要約】【課題】高効率に水分を吸収する吸水紙を、場所を取らず、再生可能な帳票乾燥具として提供することを目的とする。【解決手段】前記課題の目的を解決するために、少なくとも片面に吸水性の材料を有する基材に一定間隔に形成した折り目でジグザグに折り畳んで成り、前記折り目上には折り目によって略均等に分割され、基材を貫通する開口部が形成され、折り目の山部と谷部の間隔は、収納される帳票の短辺、または長辺の何れか1辺と略同一の長さである帳票乾燥具を提供する。【選択図】  図１
2005119101.tif 000002
【特許請求の範囲】
【請求項１】
少なくとも片面に吸水性の材料を有する基材に一定間隔に形成された折り目でジグザグに折り畳んで成ることを特徴とする帳票収納具。
【請求項２】
前記折り目上には折り目によって略均等に分割され、シートを貫通する開口部が形成されていることを特徴とする請求項1に記載の帳票収納具。
【請求項３】
前記折り目の山部と谷部の間隔は、収納される帳票の短辺、または長辺の何れか1辺と略同一の長さであることを特徴とする請求項1、または請求項２に記載の帳票収納具。
【発明の詳細な説明】
【技術分野】
【０００１】
本発明は、濡れた帳票を乾燥させるための乾燥具に関する。
【背景技術】
【０００２】
近年、会社や、自宅に食料品や、書籍などの小荷物を直接配達してくれる宅配システムが日常的に行われている。この宅配システムでは、配達担当者が車に荷物を載せて、配送伝票などに記載された届け先を確認し、納品する。そして、荷物を届け先に納品すると受取人の印鑑が捺印された納品控伝票を持ち帰る。持ちかえった納品控伝票は、保存され、荷送り人からの問い合わせなどに利用される。
【０００３】
納品控伝票そのものを保管すると嵩張ることと、問い合わせがあった際に、納品控伝票を探すために、時間と人手を要することから、最近では、スキャナ等で納品控に記載された必要部分をコピーして画像としてファイルし、保存する方法が採用されている。  このファイリングシステムでは、担当が、前述の納品控伝票をまとめてスキャナに読み取らせて保存する。
【０００４】
使用されるスキャナは、伝票をまとめてフィードするためのフィーダー部、記載内容を読み取るための撮像部、読み終わった伝票をスタックするための排紙部で構成される。そのために、伝票が折れ曲がっていたり、皺になっていたり、ぬれていたり、湿っていたりするとフィーダー部で詰まってしまい、係員がその都度対応しなければならず、また伝票がそのために破損すると記載内容の読取りが不可能になってしまう。そのために、配達担当者は伝票を濡らさないように気を付けるのであるが、雨の日に、傘をさすことができない場合や、クール便のように高温多湿の状態で持ち込まれた荷物が低温環境に収納された場合に荷物表面は瞬間的に結露し、貼付されている配送伝票は必然的に濡れてしまう場合があって、良好な解決策は未だ見出されていない。
【０００５】
現在、濡れた納品控伝票を乾かすためにアイロンを掛けたり、乾燥装置で乾燥させたりするが、高温加熱器具では、火災の危険性が伴い、また電気代がかかってしまう。また、室内に吊り下げて乾燥させる方法があるが、吊り下げる手間と、時間がかかり、乾燥するための広大な場所を必要とする。
【０００６】
また、近年、高効率に水分を吸収するシート状基材が開発されている（例えば、特許文献１参照）。
【０００７】
【特許文献１】特開平６−１５８５８１号公報
【発明の開示】
【発明が解決しようとする課題】
【０００８】
そこで本発明は、高効率に水分を吸収する上述の吸水紙を、場所を取らず、再生可能な帳票乾燥具として提供することを目的とするものである。
【課題を解決するための手段】
【０００９】
前記課題の目的を解決するために、本発明の帳票乾燥具の請求項１に記載の発明は、少なくとも片面に吸水性の材料を有する基材に一定間隔に形成した折り目でジグザグに折り畳んで成ることを特徴とするものである。
【００１０】
また、請求項２に記載の発明は、請求項1に記載の発明において、折り目上には折り目によって略均等に分割され、基材を貫通する開口部が形成されていることを特徴とするものである。
【００１１】
また、請求項３に記載の発明は、請求項1、または請求項２に記載の発明において、折り目の山部と谷部の間隔は、収納される帳票の短辺、または長辺の何れか1辺と略同一の長さであることを特徴とするものである。
【発明の効果】
【００１２】
請求項１に記載のように、少なくとも片面に吸水性の材料を有する基材に一定間隔に形成した折り目でジグザグに折り畳んで成る帳票乾燥具に濡れた帳票を挟んで所定の時間放置することによって帳票乾燥具の吸収性の材料が帳票の水分を吸い取って、帳票を通常の状態に戻してくれる。また、乾燥装置を使用する場合のように電気を使用せず、また、吸水した材料は、外気で乾燥することによって再使用可能となる。
【００１３】
また、請求項２に記載のように、請求項1に記載の発明において、折り目上には折り目によって略均等に分割され、基材を貫通する開口部が形成されていることによって、帳票が帳票乾燥具に収納されていることが識別でき、更に、隣り合う乾燥済み帳票をまとめて取り出すことが可能となる。
【００１４】
また、請求項３に記載のように、請求項1、または請求項２に記載の発明において、折り目の山部と谷部の間隔は、収納される帳票の短辺、または長辺の何れか1辺と略同一の長さであることによって、帳票が帳票乾燥具に収納されていることが識別でき、更に、隣り合う乾燥済み帳票をまとめて取り出すことが可能になる。
【発明を実施するための最良の形態】
【００１５】
以下、図面を参照して本発明の帳票乾燥具について説明する。  図１は、本発明の帳票乾燥具について説明するための概念図、図２は、図１に示した帳票乾燥具に帳票を挟んだ状態を横から観察した図、図３は、図１に示した帳票乾燥具を引き伸ばして再生させる状態について説明するための図、図４は、図１に示した帳票乾燥具を引き伸ばした展開図、図５は、折り部の形状の一実施形態、である。
【００１６】
図１、図２を参照して、本発明の帳票乾燥具と、帳票乾燥具に帳票を挟んだ状態について説明する。図２は、図１の右矢印の方向から観察した図１の側面を表している。  帳票乾燥具１は、長尺の吸水性の材料（以下基材という。）で作製されたシートに折り目を形成し、前記折り目で図２に示すようにジグザグ状に折って、アコーディオンカーテン状の帳票乾燥具を作製する。折り部は、例えばミシンや押し型のような刃によって一定間隔で基材に山用の切れ目、または押し筋（１２）を形成し、山用の切れ目、または筋の中間部分に、谷用の切れ目、または筋（１３）を形成する。  基材の厚さが厚い場合は、押し筋、またはハーフカットによって山用と、谷用の押し筋、またはハーフカットを基材の別々の面から形成する。
【００１７】
このように折り部が形成された基材は、折り部形成と同一ライン上で山、谷方向に折り込まれ、ジグザグ状に仕上げる。  図２で判るように、ジグザグ状に折り込まれた一方の側の隙間には、乾燥を必要とする帳票２が挟み込まれる。帳票は、濡れていて隙間に入り難いために、ジグザグ状に折り畳まれた（以下アコーディオンという。）隙間は、その間隔を自由に広げることができるようになっている。即ち、濡れた帳票２−１、２−ｎを帳票乾燥具に挟む場合は、図２の、アコーディオンを開いて、折り目の山と山、谷と谷の間隔を広げ、図１の奥（図２の右側）から帳票を差し込む。
【００１８】
アコーディオンの一方の側の折り部、例えば、山部には、折り部を中心として略同形の切欠き１１（開口部）が形成されている。アコーディオンをとじて、折り目の山と山、谷と谷を寄せると何枚かの帳票２をまとめて帳票乾燥具１から引き抜くことができるようになっている。  そのために、帳票２の高さと、帳票乾燥具１の山と谷の間隔は略等しいか、帳票乾燥具１の山と谷の間隔を帳票２の高さより若干長くしている。もし、帳票乾燥具１の山と谷の間隔を帳票２の高さより短かくした場合、帳票の飛び出した部分が乾燥しないために、スキャナなどで読取る際に、フィーダー部でジャムする可能性が出てくる。
【００１９】
図３を参照して、図１に示した帳票乾燥具の再生について説明する。  濡れた帳票をアコーディオンの間に挟んで乾燥させた後の帳票乾燥具１の基材には帳票から吸い取った水分が残留している。そのために、アコーディオンの山１２、谷１３の角度を開いて、帳票乾燥具１の基材の表裏、基材の種類によっては帳票を挿入した方向から水分を放出する。切欠き１１の存在によって、帳票乾燥具１の乾燥時に水分が逃げやすくなっている。  乾燥後の帳票乾燥具１は畳んで保管し、再度湿った帳票の乾燥のために使用する。
【００２０】
図４の展開図を参照して、図１に示した帳票乾燥具１を引き伸ばした状態について説明する。  所定の幅の基材に一定の間隔で山部用折り目１２が施される。また山部と山部の中間には谷部用折り目１３が施される。山部の折り目１２の中央部には開口部（切欠き）１１が形成される。開口部１１は基材を貫通して形成される。
【００２１】
図５を参照して折り部の形状の一実施形態について説明する。帳票乾燥具に使用される基材の厚さは、少なくとも帳票の基材の厚さより厚いことが好ましい。なぜならば、基材は濡れた帳票から水分を吸収しても形状が変わらず、平坦性を保持することが好ましいからである。また同時に、水分の吸収時間は、基材の厚さに比例して速くなる。したがって、通常の帳票に使用されるミシン程度では基材はきれいに折れ曲がってはくれない。そこで、図に示すように、山に当る部分（１２）と谷に当る部分（１３）は帳票の横ミシンに使用するようなアンカット部、カット部を有するミシンを使用してもきれいに折れ曲がらない。
【００２２】
そこで、折れ部の強度を保ちながら折れやすい形状の押し型を選択する必要がある。そのためには、折れ部を押し型にして折れ曲がる部分の密度を高め、耐久性を付与し、繰り返しの再利用に耐えるようにしなければならない。基材の材料によっては、ハーフカットにして折り曲げるようすることもできる。
【実施例】
【００２３】
基材として、乾燥時、１００μｍ以下の平均直径を有し、２０ｍｍ以下の繊維長を有する不織布を使用する。この不織布は、カルボン酸基を持つモノマーと、カルボン酸基と反応してエステル架橋結合を形成し得るヒドロキシル基を持つモノマーと、カルボン酸アルカリ金属塩基を持つモノマーを共重合し、熱により架橋した吸水性の高い繊維であり、１５００〜２５００重量％の水分を吸水する。また、この湿式不織布の製造時、一般に用いられる紙力増強剤，サイジング剤，顔料，難燃剤，抗菌剤等の添加剤を吸水性を阻害しない範囲で適量使用する。
【００２４】
また基材として、吸水面の平坦性を確保するために、通気孔を有するプラスチック、金属、などの薄板の表面に貼付して使用することもできる。また、吸水効果を妨げない程度に基材の表面に印刷を施しても良い。また、不織布は吸水性繊維を５〜４０重量％含有するが、使用されるパルプは特に限定されない。また、パルプ以外にも他の抄紙可能な繊維を含有してもよい。
【００２５】
基材の厚さは、使用される帳票の厚さによって変更することができるが、薄すぎると吸水効果が低下し、厚すぎると再利用の際の乾燥に時間がかかる。また、上述のように吸水面の平坦性を確保するために補強材料を使用するが、その場合は薄い吸水材料で済ませることができる。何れの場合も０．１〜２ｍｍ程度、好ましくは、０．５〜１ｍｍの厚さの高吸水繊維が使用される。
【００２６】
折り部に使用される型押し材については、使用される基材の厚さによって使い分ける。上述のように、使用される基材の厚さが０．５〜１ｍｍ程度の厚さの場合で、剛直性が高い不織布など、繊維長が長い材料を使用する場合は、カット部を有するミシン刃を使用し、基材の同一面から押し付けて折り部を形成することもできる。
【産業上の利用可能性】
【００２７】
本発明の帳票乾燥具は、帳票サイズの紙製品の乾燥手段として利用できる。
【図面の簡単な説明】
【００２８】
【図１】本発明の帳票乾燥具について説明するための概念図である。
【図２】図１に示した帳票乾燥具に帳票を挟んだ状態を側面から観察した図である。
【図３】図１に示した帳票乾燥具を引き伸ばして再生させる状態について説明するための図である。
【図４】図１に示した帳票乾燥具を引き伸ばした展開図である。
【図５】折り部の形状の一実施形態、である。
【符号の説明】
【００２９】
１      帳票乾燥具
２、２−１、２−ｎ  帳票
１１    切欠き部（開口部）
１２    折り部（山）
１３    折り部（谷）
【図１】
2005119101.tif 000003
【図２】
2005119101.tif 000004
【図３】
2005119101.tif 000005
【図４】
2005119101.tif 000006
【図５】
2005119101.tif 000007